(57)【要約】  光路中における光の偏光状態の変化を良好に抑えて、所望の偏光状態または非偏光状態の光で被照射面を照明することのできる照明光学装置。光源（１）から供給される０．９以上の偏光度を有する光に基づいて被照射面（Ｍ）を照明する照明光学装置。光源と被照射面との間の光路中に配置されて被照射面に達する光の偏光状態を所定の偏光状態に設定するための偏光設定部（４，１０）と、光源と被照射面との間の光路中の光学系を構成する少なくとも１つの光透過部材の一方の光学面側を３つの領域で三点支持するための保持部材とを備えている。【特許請求の範囲】
【請求項１】
被照射面を照明する照明光学装置において、
０．９以上の偏光度を有する光を供給する光源と前記被照射面との間の光路中に配置されて、前記被照射面に達する光の偏光状態を所定の偏光状態に設定するための偏光設定部と、
前記光源と前記被照射面との間の光路中の光学系を構成する少なくとも１つの光透過部材の一方の光学面側を３つの領域で三点支持するための保持部材とを備えていることを特徴とする照明光学装置。
【請求項２】
前記保持部材は、前記光透過部材の他方の光学面側を、前記光透過部材の前記一方の光学面側の前記３つの領域にほぼ対向する３つの領域で三点支持することを特徴とする請求項１に記載の照明光学装置。
【請求項３】
前記保持部材は、前記偏光設定部と前記被照射面との間の光路中の光学系を構成する少なくとも１つの光透過部材の一方の光学面側を３つの領域で三点支持することを特徴とする請求項１または２に記載の照明光学装置。
【請求項４】
入射光の偏光状態を所定の偏光状態に変換する偏光変換素子をさらに備え、
前記保持部材は、前記偏光変換素子と前記被照射面との間の光路中の光学系を構成する少なくとも１つの光透過部材の一方の光学面側を３つの領域で三点支持することを特徴とする請求項１乃至３のいずれか１項に記載の照明光学装置。
【請求項５】
前記偏光変換素子は、前記偏光設定部と前記被照射面との間に配置されることを特徴とする請求項４に記載の照明光学装置。
【請求項６】
前記偏光変換素子は、ほぼ単一方向に偏光方向を有する直線偏光の光を、ほぼ周方向に偏光方向を有する周方向偏光状態の光またはほぼ径方向に偏光方向を有する径方向偏光状態の光に変換することを特徴とする請求項４または５に記載の照明光学装置。
【請求項７】
前記偏光変換素子は、前記照明光学装置の瞳またはその近傍に配置されることを特徴とする請求項４乃至６のいずれか１項に記載の照明光学装置。
【請求項８】
前記光源からの光束に基づいて照明瞳面に実質的な面光源を形成するためのオプティカルインテグレータをさらに備え、
前記少なくとも１つの光透過部材は、前記オプティカルインテグレータと前記被照射面との間の光路中に配置されていることを特徴とする請求項１乃至７のいずれか１項に記載の照明光学装置。
【請求項９】
前記オプティカルインテグレータと前記被照射面と光学的に共役な面との間の光路中に配置されて、前記オプティカルインテグレータからの光束を集光して前記被照射面と光学的に共役な面へ導くコンデンサー光学系と、
コンデンサー光学系と前記被照射面との間の光路中に配置されて、前記被照射面と光学的に共役な面からの光を前記被照射面へ導く照明結像光学系とをさらに備え、
前記少なくとも１つの光透過部材は、前記照明結像光学系内に配置されていることを特徴とする請求項８に記載の照明光学装置。
【請求項１０】
前記光源からの光束に基づいて前記被照射面と光学的にほぼ共役な面にほぼ均一な照明領域を形成するためのオプティカルインテグレータと、
前記オプティカルインテグレータと前記被照射面との間の光路中に配置されて、前記被照射面と光学的にほぼ共役な面からの光を前記被照射面へ導くための照明結像光学系とを備え、
前記少なくとも１つの光透過部材は、前記照明結像光学系内に配置されていることを特徴とする請求項１乃至７のいずれか１項に記載の照明光学装置。
【請求項１１】
前記偏光設定部は、前記照明結像光学系内に配置され、
前記少なくとも１つの光透過部材は、前記偏光設定部と前記被照射面との間の光路中に配置されていることを特徴とする請求項１０に記載の照明光学装置。
【請求項１２】
前記保持部材により三点支持された状態において、前記少なくとも１つの光透過部材の有効領域における平均複屈折量は２ｎｍ／ｃｍ以下であることを特徴とする請求項１乃至１１のいずれか１項に記載の照明光学装置。
【請求項１３】
前記保持部材は、前記少なくとも１つの光透過部材を各領域で支持するための３つの支持部を有し、
各支持部の支持端は、光軸を中心とする円の径方向に可動性または可撓性を有することを特徴とする請求項１乃至１２のいずれか１項に記載の照明光学装置。
【請求項１４】
前記保持部材は、前記光透過部材の他方の光学面側を、前記光透過部材の前記一方の光学面側の前記３つの領域にほぼ対向する３つの領域で三点支持し、且つ前記少なくとも１つの光透過部材を各領域で支持するための６つの支持部を有し、
各支持部の支持端は、光軸を中心とする円の径方向に可動性または可撓性を有することを特徴とする請求項１乃至１２のいずれか１項に記載の照明光学装置。
【請求項１５】
前記保持部材は、前記少なくとも１つの光透過部材を各領域で支持するための３つの支持部と、該３つの支持部と接続される枠体とを備え、
前記３つの支持部は前記枠体に対して回転可能であることを特徴とする請求項１乃至１２のいずれか１項に記載の照明光学装置。
【請求項１６】
前記保持部材は、第１の光透過部材を三点支持するための第１保持部材と、第２の光透過部材を三点支持するための第２保持部材とを有し、
前記第１保持部材による三点支持位置と前記第２保持部材による三点支持位置とは光軸廻りに実質的に位置ずれしていることを特徴とする請求項１乃至１５のいずれか１項に記載の照明光学装置。
【請求項１７】
マスクを照明するための請求項１乃至１６のいずれか１項に記載の照明光学装置を備え、前記マスクのパターンを感光性基板上に露光することを特徴とする露光装置。
【請求項１８】
請求項１乃至１６のいずれか１項に記載の照明光学装置を用いてマスクを照明する照明工程と、前記マスクのパターンを感光性基板上に露光する露光工程とを含むことを特徴とする露光方法。
【発明の詳細な説明】
【技術分野】
【０００１】
本発明は、照明光学装置、露光装置、および露光方法に関し、特に半導体素子、撮像素子、液晶表示素子、薄膜磁気ヘッド等のマイクロデバイスをリソグラフィー工程で製造するための露光装置に関するものである。
【背景技術】
【０００２】
この種の典型的な露光装置においては、光源から射出された光束が、オプティカルインテグレータとしてのフライアイレンズを介して、多数の光源からなる実質的な面光源としての二次光源を形成する。二次光源（一般には、照明光学装置の照明瞳またはその近傍に形成される照明瞳分布）からの光束は、フライアイレンズの後側焦点面の近傍に配置された開口絞りを介して制限された後、コンデンサーレンズに入射する。【０００３】
コンデンサーレンズにより集光された光束は、所定のパターンが形成されたマスクを重畳的に照明する。マスクのパターンを透過した光は、投影光学系を介してウェハ上に結像する。こうして、ウェハ上には、マスクパターンが投影露光（転写）される。なお、マスクに形成されたパターンは高集積化されており、この微細パターンをウェハ上に正確に転写するにはウェハ上において均一な照度分布を得ることが不可欠である。【０００４】
たとえば本出願人の出願にかかる特許第３２４６６１５号公報には、任意方向の微細パターンを忠実に転写するのに適した照明条件を実現するために、フライアイレンズの後側焦点面に輪帯状の二次光源を形成し、この輪帯状の二次光源を通過する光束がその周方向を偏光方向とする直線偏光状態（以下、略して「周方向偏光状態」という）になるように設定する技術が開示されている。【０００５】
【特許文献１】特許第３２４６６１５号公報
【発明の開示】
【発明が解決しようとする課題】
【０００６】
上述の周方向偏光状態に限定されることなく、特定の直線偏光状態の光を用いて投影露光を行うことは、投影光学系の解像度向上に有効である。さらに一般的には、マスクパターンに応じて特定の偏光状態または非偏光状態の光を用いて投影露光を行うことは、投影光学系の解像度向上に有効である。【０００７】
しかしながら、所望の偏光状態または非偏光状態の光でマスク（ひいてはウェハ）を照明しようとしても、照明光路中に光の偏光状態を変化させる光学素子が介在すると、所望の偏光状態または非偏光状態で結像しなくなり、ひいては結像性能が悪化する可能性がある。特に、光源とマスクとの間の照明光路中に配置されたレンズや平行平面板のような光透過部材では、外部から力が作用すると複屈折性が発生し、この複屈折性に起因して通過する光の偏光状態が変化する。【０００８】
本発明は、光路中における光の偏光状態の変化を良好に抑えて、所望の偏光状態または非偏光状態の光で被照射面を照明することのできる照明光学装置を提供することを目的とする。【０００９】
また、本発明は、所望の偏光状態または非偏光状態の光で被照射面としてのマスクを照明する照明光学装置を用いて、マスクパターンに応じた所望の照明条件に基づいて微細パターンを感光性基板上に忠実に転写することのできる露光装置および露光方法を提供することを目的とする。
【課題を解決するための手段】
【００１０】
前記目的を達成するために、本発明の第１形態では、被照射面を照明する照明光学装置において、
０．９以上の偏光度を有する光を供給する光源と前記被照射面との間の光路中に配置されて、前記被照射面に達する光の偏光状態を所定の偏光状態に設定するための偏光設定部と、
前記光源と前記被照射面との間の光路中の光学系を構成する少なくとも１つの光透過部材の一方の光学面側を３つの領域で三点支持するための保持部材とを備えていることを特徴とする照明光学装置を提供する。【００１１】
本発明の第２形態では、マスクを照明するための第１形態の照明光学装置を備え、前記マスクのパターンを感光性基板上に露光することを特徴とする露光装置を提供する。【００１２】
本発明の第３形態では、第１形態の照明光学装置を用いてマスクを照明する照明工程と、前記マスクのパターンを感光性基板上に露光する露光工程とを含むことを特徴とする露光方法を提供する。
【発明の効果】
【００１３】
本発明の典型的な形態にしたがう照明光学装置では、光路中に配置された光透過部材のうちの所要の光透過部材（一般的には少なくとも１つの光透過部材）を、ほぼ対向する３つの領域で両側から三点支持している。この場合、光透過部材の支持領域に集中した応力分布が生じるだけで、光透過部材の有効領域には実質的な応力分布が生じない。その結果、応力分布による複屈折性がほとんど発生することなく、ひいては複屈折性に起因して通過する光の偏光状態がほとんど変化することがない。【００１４】
こうして、本発明の照明光学装置では、光路中における光の偏光状態の変化を良好に抑えて、所望の偏光状態または非偏光状態の光で被照射面を照明することができる。したがって、本発明の露光装置および露光方法では、所望の偏光状態または非偏光状態の光で被照射面としてのマスクを照明する照明光学装置を用いて、マスクパターンに応じた所望の照明条件に基づいて微細パターンを感光性基板上に忠実に転写することができ、ひいては良好なデバイスを製造することができる。
【図面の簡単な説明】
【００１５】
【図１】本発明の実施形態にかかる露光装置の構成を概略的に示す図である。
【図２】図１の偏光変換素子の構成を概略的に示す図である。
【図３】水晶の旋光性について説明する図である。
【図４】偏光変換素子の作用により周方向偏光状態に設定された輪帯状の二次光源を概略的に示す図である。
【図５】従来技術において光透過部材に外部から作用する力および光透過部材に発生する応力分布を模式的に示す図である。
【図６】本実施形態において光透過部材に外部から作用する力および光透過部材に発生する応力分布を模式的に示す図である。
【図７】本実施形態において光透過部材を両側から三点支持する保持部材の構成を概略的に示す図である。
【図８】偏光変換素子の作用により径方向偏光状態に設定された輪帯状の二次光源を概略的に示す図である。
【図９】マイクロデバイスとしての半導体デバイスを得る際の手法のフローチャートである。
【図１０】マイクロデバイスとしての液晶表示素子を得る際の手法のフローチャートである。
【発明を実施するための最良の形態】
【００１６】
本発明の実施形態を、添付図面に基づいて説明する。図１は、本発明の実施形態にかかる露光装置の構成を概略的に示す図である。図１において、感光性基板であるウェハＷの法線方向に沿ってＺ軸を、ウェハＷの面内において図１の紙面に平行な方向にＹ軸を、ウェハＷの面内において図１の紙面に垂直な方向にＸ軸をそれぞれ設定している。図１を参照すると、本実施形態の露光装置は、露光光（照明光）を供給するための光源１を備えている。【００１７】
光源１として、たとえば２４８ｎｍの波長の光を供給するＫｒＦエキシマレーザ光源や１９３ｎｍの波長の光を供給するＡｒＦエキシマレーザ光源などを用いることができる。光源１からＺ方向に沿って射出されたほぼ平行な光束は、Ｘ方向に沿って細長く延びた矩形状の断面を有し、一対のレンズ２ａおよび２ｂからなるビームエキスパンダー２に入射する。各レンズ２ａおよび２ｂは、図１の紙面内（ＹＺ平面内）において負の屈折力および正の屈折力をそれぞれ有する。したがって、ビームエキスパンダー２に入射した光束は、図１の紙面内において拡大され、所定の矩形状の断面を有する光束に整形される。【００１８】
整形光学系としてのビームエキスパンダー２を介したほぼ平行な光束は、折り曲げミラー３でＹ方向に偏向された後、１／４波長板４ａ、１／２波長板４ｂ、デポラライザ（非偏光化素子）４ｃ、および輪帯照明用の回折光学素子５を介して、アフォーカルレンズ６に入射する。ここで、１／４波長板４ａ、１／２波長板４ｂ、およびデポラライザ４ｃは、後述するように、偏光状態切換部４を構成している。アフォーカルレンズ６は、前側レンズ群６ａの前側焦点位置と回折光学素子５の位置とがほぼ一致し且つ後側レンズ群６ｂの後側焦点位置と図中破線で示す所定面７の位置とがほぼ一致するように設定されたアフォーカル系（無焦点光学系）である。【００１９】
一般に、回折光学素子は、基板に露光光（照明光）の波長程度のピッチを有する段差を形成することによって構成され、入射ビームを所望の角度に回折する作用を有する。具体的には、輪帯照明用の回折光学素子５は、矩形状の断面を有する平行光束が入射した場合に、そのファーフィールド（またはフラウンホーファー回折領域）に輪帯状の光強度分布を形成する機能を有する。【００２０】
したがって、光束変換素子としての回折光学素子５に入射したほぼ平行光束は、アフォーカルレンズ６の瞳面に輪帯状の光強度分布を形成した後、輪帯状の角度分布でアフォーカルレンズ６から射出される。なお、アフォーカルレンズ６の前側レンズ群６ａと後側レンズ群６ｂとの間の光路中においてその瞳面またはその近傍には、円錐アキシコン系８が配置されているが、その詳細な構成および作用については後述する。以下、説明を簡単にするために、円錐アキシコン系８の作用を無視して、基本的な構成および作用を説明する。【００２１】
アフォーカルレンズ６を介した光束は、σ値可変用のズームレンズ９および偏光変換素子１０を介して、オプティカルインテグレータとしてのマイクロフライアイレンズ（またはフライアイレンズ）１１に入射する。偏光変換素子１０の構成および作用については後述する。マイクロフライアイレンズ１１は、縦横に且つ稠密に配列された多数の正屈折力を有する微小レンズからなる光学素子である。一般に、マイクロフライアイレンズは、たとえば平行平面板にエッチング処理を施して微小レンズ群を形成することによって構成される。【００２２】
ここで、マイクロフライアイレンズを構成する各微小レンズは、フライアイレンズを構成する各レンズエレメントよりも微小である。また、マイクロフライアイレンズは、互いに隔絶されたレンズエレメントからなるフライアイレンズとは異なり、多数の微小レンズ（微小屈折面）が互いに隔絶されることなく一体的に形成されている。しかしながら、正屈折力を有するレンズ要素が縦横に配置されている点でマイクロフライアイレンズはフライアイレンズと同じ波面分割型のオプティカルインテグレータである。【００２３】
所定面７の位置はズームレンズ９の前側焦点位置の近傍に配置され、マイクロフライアイレンズ１１の入射面はズームレンズ９の後側焦点位置の近傍に配置されている。換言すると、ズームレンズ９は、所定面７とマイクロフライアイレンズ１１の入射面とを実質的にフーリエ変換の関係に配置し、ひいてはアフォーカルレンズ６の瞳面とマイクロフライアイレンズ１１の入射面とを光学的にほぼ共役に配置している。【００２４】
したがって、マイクロフライアイレンズ１１の入射面上には、アフォーカルレンズ６の瞳面と同様に、たとえば光軸ＡＸを中心とした輪帯状の照野が形成される。この輪帯状の照野の全体形状は、ズームレンズ９の焦点距離に依存して相似的に変化する。マイクロフライアイレンズ１１を構成する各微小レンズは、マスクＭ上において形成すべき照野の形状（ひいてはウェハＷ上において形成すべき露光領域の形状）と相似な矩形状の断面を有する。【００２５】
マイクロフライアイレンズ１１に入射した光束は多数の微小レンズにより二次元的に分割され、その後側焦点面またはその近傍（ひいては照明瞳）には、入射光束によって形成される照野とほぼ同じ光強度分布を有する二次光源、すなわち光軸ＡＸを中心とした輪帯状の実質的な面光源からなる二次光源が形成される。マイクロフライアイレンズ１１の後側焦点面またはその近傍に形成された二次光源からの光束は、ビームスプリッター１２ａおよびコンデンサー光学系１３を介した後、被照射面としてのマスクＭまたはウェハＷと光学的にほぼ共役な位置に配置されたマスクブラインド１４を重畳的に照明する。【００２６】
こうして、照明視野絞りとしてのマスクブラインド１４には、マイクロフライアイレンズ１１を構成する各微小レンズの形状と焦点距離とに応じた矩形状の照野が形成される。マスクブラインド１４の矩形状の開口部（光透過部）を介した光束は、結像光学系１５の集光作用を受けた後、所定のパターンが形成されたマスクＭを重畳的に照明する。すなわち、結像光学系１５は、被照射面としてのマスクＭまたはウェハＷと光学的にほぼ共役な位置に配置されたマスクブランド１４を介した光をマスクＭへ導き、マスクブラインド１４の矩形状開口部の像をマスクＭ上に形成することになる。【００２７】
マスクＭのパターンを透過した光束は、投影光学系ＰＬを介して、感光性基板であるウェハＷ上にマスクパターンの像を形成する。こうして、投影光学系ＰＬの光軸ＡＸと直交する平面（ＸＹ平面）内においてウェハＷを二次元的に駆動制御しながら一括露光またはスキャン露光を行うことにより、ウェハＷの各露光領域にはマスクＭのパターンが逐次露光される。【００２８】
なお、偏光状態切換部４において、１／４波長板４ａは、光軸ＡＸを中心として結晶光学軸が回転自在に構成されて、入射する楕円偏光の光を直線偏光の光に変換する。また、１／２波長板４ｂは、光軸ＡＸを中心として結晶光学軸が回転自在に構成されて、入射する直線偏光の偏光面を変化させる。また、デポラライザ４ｃは、相補的な形状を有する楔形状の水晶プリズムと楔形状の石英プリズムとにより構成されている。水晶プリズムと石英プリズムとは、一体的なプリズム組立体として、照明光路に対して挿脱自在に構成されている。【００２９】
光源１としてＫｒＦエキシマレーザ光源やＡｒＦエキシマレーザ光源を用いる場合、これらの光源から射出される光は典型的には９５％以上の偏光度を有し、１／４波長板４ａにはほぼ直線偏光の光が入射する。しかしながら、光源１と偏光状態切換部４との間の光路中に裏面反射鏡としての直角プリズムが介在する場合、入射する直線偏光の偏光面がＰ偏光面またはＳ偏光面に一致していないと、直角プリズムでの全反射により直線偏光が楕円偏光に変わる。【００３０】
偏光状態切換部４では、たとえば直角プリズムでの全反射に起因して楕円偏光の光が入射しても、１／４波長板４ａの作用により変換された直線偏光の光が１／２波長板４ｂに入射する。１／２波長板４ｂの結晶光学軸が入射する直線偏光の偏光面に対して０度または９０度の角度をなすように設定された場合、１／２波長板４ｂに入射した直線偏光の光は偏光面が変化することなくそのまま通過する。【００３１】
また、１／２波長板４ｂの結晶光学軸が入射する直線偏光の偏光面に対して４５度の角度をなすように設定された場合、１／２波長板４ｂに入射した直線偏光の光は偏光面が９０度だけ変化した直線偏光の光に変換される。さらに、デポラライザ４ｃの水晶プリズムの結晶光学軸が入射する直線偏光の偏光面に対して４５度の角度をなすように設定された場合、水晶プリズムに入射した直線偏光の光は非偏光状態の光に変換（非偏光化）される。【００３２】
偏光状態切換部４では、デポラライザ４ｃが照明光路中に位置決めされたときに水晶プリズムの結晶光学軸が入射する直線偏光の偏光面に対して４５度の角度をなすように構成されている。ちなみに、水晶プリズムの結晶光学軸が入射する直線偏光の偏光面に対して０度または９０度の角度をなすように設定された場合、水晶プリズムに入射した直線偏光の光は偏光面が変化することなくそのまま通過する。【００３３】
偏光状態切換部４では、上述したように、直線偏光の光が１／２波長板４ｂに入射するが、以下の説明を簡単にするために、図１においてＺ方向に偏光方向（電場の方向）を有する直線偏光（以下、「Ｚ方向偏光」と称する）の光が１／２波長板４ｂに入射するものとする。デポラライザ４ｃを照明光路中に位置決めした場合、１／２波長板４ｂの結晶光学軸を入射するＺ方向偏光の偏光面（偏光方向）に対して０度または９０度の角度をなすように設定すると、１／２波長板４ｂに入射したＺ方向偏光の光は偏光面が変化することなくＺ方向偏光のまま通過してデポラライザ４ｃの水晶プリズムに入射する。水晶プリズムの結晶光学軸は入射するＺ方向偏光の偏光面に対して４５度の角度をなすように設定されているので、水晶プリズムに入射したＺ方向偏光の光は非偏光状態の光に変換される。【００３４】
水晶プリズムを介して非偏光化された光は、光の進行方向を補償するためのコンペンセータとしての石英プリズムを介して、非偏光状態で回折光学素子５に入射する。一方、１／２波長板４ｂの結晶光学軸を入射するＺ方向偏光の偏光面に対して４５度の角度をなすように設定すると、１／２波長板４ｂに入射したＺ方向偏光の光は偏光面が９０度だけ変化し、図１においてＸ方向に偏光方向（電場の方向）を有する直線偏光（以下、「Ｘ方向偏光」と称する）の光になってデポラライザ４ｃの水晶プリズムに入射する。水晶プリズムの結晶光学軸は入射するＸ方向偏光の偏光面に対しても４５度の角度をなすように設定されているので、水晶プリズムに入射したＸ方向偏光の光は非偏光状態の光に変換され、石英プリズムを介して、非偏光状態で回折光学素子５に入射する。【００３５】
これに対し、デポラライザ４ｃを照明光路から退避させた場合、１／２波長板４ｂの結晶光学軸を入射するＺ方向偏光の偏光面に対して０度または９０度の角度をなすように設定すると、１／２波長板４ｂに入射したＺ方向偏光の光は偏光面が変化することなくＺ方向偏光のまま通過し、Ｚ方向偏光状態で回折光学素子５に入射する。一方、１／２波長板４ｂの結晶光学軸を入射するＺ方向偏光の偏光面に対して４５度の角度をなすように設定すると、１／２波長板４ｂに入射したＺ方向偏光の光は偏光面が９０度だけ変化してＸ方向偏光の光になり、Ｘ方向偏光状態で回折光学素子５に入射する。【００３６】
以上のように、偏光状態切換部４では、デポラライザ４ｃを照明光路中に挿入して位置決めすることにより、非偏光状態の光を回折光学素子５に入射させることができる。また、デポラライザ４ｃを照明光路から退避させ且つ１／２波長板４ｂの結晶光学軸を入射するＺ方向偏光の偏光面に対して０度または９０度の角度をなすように設定することにより、Ｚ方向偏光状態の光を回折光学素子５に入射させることができる。さらに、デポラライザ４ｃを照明光路から退避させ且つ１／２波長板４ｂの結晶光学軸を入射するＺ方向偏光の偏光面に対して４５度をなすように設定することにより、Ｘ方向偏光状態の光を回折光学素子５に入射させることができる。【００３７】
換言すれば、偏光状態切換部４では、１／４波長板４ａと１／２波長板４ｂとデポラライザ４ｃとからなる偏光状態切換部の作用により、回折光学素子５への入射光の偏光状態（ひいてはマスクＭおよびウェハＷを照明する光の偏光状態）を直線偏光状態と非偏光状態との間で切り換えることができ、直線偏光状態の場合には互いに直交する偏光状態間（Ｚ方向偏光とＸ方向偏光との間）で切り換えることができる。【００３８】
さらに、偏光状態切換部４では、１／２波長板４ｂおよびデポラライザ４ｃをともに照明光路から退避させ、且つ１／４波長板４ａの結晶光学軸を入射する楕円偏光に対して所定の角度をなすように設定することにより、円偏光状態の光を回折光学素子５に入射させることができる。また、一般的には、１／２波長板４ｂの作用により、回折光学素子５への入射光の偏光状態を、任意方向に偏光方向を有する直線偏光状態に設定することもできる。【００３９】
次に、円錐アキシコン系８は、光源側から順に、光源側に平面を向け且つマスク側に凹円錐状の屈折面を向けた第１プリズム部材８ａと、マスク側に平面を向け且つ光源側に凸円錐状の屈折面を向けた第２プリズム部材８ｂとから構成されている。そして、第１プリズム部材８ａの凹円錐状の屈折面と第２プリズム部材８ｂの凸円錐状の屈折面とは、互いに当接可能なように相補的に形成されている。また、第１プリズム部材８ａおよび第２プリズム部材８ｂのうち少なくとも一方の部材が光軸ＡＸに沿って移動可能に構成され、第１プリズム部材８ａの凹円錐状の屈折面と第２プリズム部材８ｂの凸円錐状の屈折面との間隔が可変に構成されている。【００４０】
ここで、第１プリズム部材８ａの凹円錐状屈折面と第２プリズム部材８ｂの凸円錐状屈折面とが互いに当接している状態では、円錐アキシコン系８は平行平面板として機能し、形成される輪帯状の二次光源に及ぼす影響はない。しかしながら、第１プリズム部材８ａの凹円錐状屈折面と第２プリズム部材８ｂの凸円錐状屈折面とを離間させると、輪帯状の二次光源の幅（輪帯状の二次光源の外径と内径との差の１／２）を一定に保ちつつ、輪帯状の二次光源の外径（内径）が変化する。すなわち、輪帯状の二次光源の輪帯比（内径／外径）および大きさ（外径）が変化する。【００４１】
ズームレンズ９は、輪帯状の二次光源の全体形状を相似的に拡大または縮小する機能を有する。たとえば、ズームレンズ９の焦点距離を最小値から所定の値へ拡大させることにより、輪帯状の二次光源の全体形状が相似的に拡大される。換言すると、ズームレンズ９の作用により、輪帯状の二次光源の輪帯比が変化することなく、その幅および大きさ（外径）がともに変化する。このように、円錐アキシコン系８およびズームレンズ９の作用により、輪帯状の二次光源の輪帯比と大きさ（外径）とを制御することができる。【００４２】
また、偏光モニター１２は、マイクロフライアイレンズ１１とコンデンサー光学系１３との間の光路中に配置された第１ビームスプリッター１２ａを備えており、この第１ビームスプリッター１２ａへの入射光の偏光状態を検知する機能を有する。そして、制御部が偏光モニター１２の検知結果に基づいてマスクＭ（ひいてはウェハＷ）への照明光が所望の偏光状態または非偏光状態になっていないことを確認した場合、偏光状態切換部４を構成する１／４波長板４ａ、１／２波長板４ｂおよびデポラライザ４ｃを駆動調整し、マスクＭへの照明光の状態を所望の偏光状態または非偏光状態に調整することができる。【００４３】
なお、輪帯照明用の回折光学素子５に代えて、４極照明用の回折光学素子（不図示）を照明光路中に設定することによって、４極照明を行うことができる。４極照明用の回折光学素子は、矩形状の断面を有する平行光束が入射した場合に、そのファーフィールドに４極状の光強度分布を形成する機能を有する。したがって、４極照明用の回折光学素子を介した光束は、マイクロフライアイレンズ１１の入射面に、たとえば光軸ＡＸを中心とした４つの円形状の照野からなる４極状の照野を形成する。その結果、マイクロフライアイレンズ１１の後側焦点面またはその近傍にも、その入射面に形成された照野と同じ４極状の二次光源が形成される。【００４４】
また、輪帯照明用の回折光学素子５に代えて、円形照明用の回折光学素子（不図示）を照明光路中に設定することによって、通常の円形照明を行うことができる。円形照明用の回折光学素子は、矩形状の断面を有する平行光束が入射した場合に、ファーフィールドに円形状の光強度分布を形成する機能を有する。したがって、円形照明用の回折光学素子を介した光束は、マイクロフライアイレンズ１１の入射面に、たとえば光軸ＡＸを中心とした円形状の照野を形成する。その結果、マイクロフライアイレンズ１１の後側焦点面またはその近傍にも、その入射面に形成された照野と同じ円形状の二次光源が形成される。【００４５】
さらに、輪帯照明用の回折光学素子５に代えて、他の複数極照明用の回折光学素子（不図示）を照明光路中に設定することによって、様々な複数極照明（２極照明、８極照明など）を行うことができる。同様に、輪帯照明用の回折光学素子５に代えて、適当な特性を有する回折光学素子（不図示）を照明光路中に設定することによって、様々な形態の変形照明を行うことができる。【００４６】
図２は、図１の偏光変換素子の構成を概略的に示す図である。また、図３は、水晶の旋光性について説明する図である。また、図４は、偏光変換素子の作用により周方向偏光状態に設定された輪帯状の二次光源を概略的に示す図である。本実施形態にかかる偏光変換素子１０は、マイクロフライアイレンズ１１の直前に、すなわち照明光学装置（１〜ＰＬ）の瞳またはその近傍に配置されている。したがって、輪帯照明の場合、偏光変換素子１０には光軸ＡＸを中心としたほぼ輪帯状の断面を有する光束が入射することになる。【００４７】
図２を参照すると、偏光変換素子１０は、全体として光軸ＡＸを中心とした輪帯状の有効領域を有し、この輪帯状の有効領域は光軸ＡＸを中心とした円周方向に等分割された８つの扇形形状の基本素子により構成されている。これらの８つの基本素子において、光軸ＡＸを挟んで対向する一対の基本素子は互いに同じ特性を有する。すなわち、８つの基本素子は、光の透過方向（Ｙ方向）に沿った厚さ（光軸方向の長さ）が互いに異なる４種類の基本素子１０Ａ〜１０Ｄを２個づつ含んでいる。【００４８】
具体的には、第１基本素子１０Ａの厚さが最も大きく、第４基本素子１０Ｄの厚さが最も小さく、第２基本素子１０Ｂの厚さは第３基本素子１０Ｃの厚さよりも大きく設定されている。その結果、偏光変換素子１０の一方の面（たとえば入射面）は平面状であるが、他方の面（たとえば射出面）は各基本素子１０Ａ〜１０Ｄの厚さの違いにより凹凸状になっている。なお、偏光変換素子１０の双方の面（入射面および射出面）をともに凹凸状に形成することもできる。【００４９】
また、本実施形態では、各基本素子１０Ａ〜１０Ｄが旋光性を有する光学材料である水晶により構成され、各基本素子１０Ａ〜１０Ｄの結晶光学軸が光軸ＡＸとほぼ一致するように設定されている。以下、図３を参照して、水晶の旋光性について簡単に説明する。図３を参照すると、厚さｄの水晶からなる平行平面板状の光学部材１００が、その結晶光学軸と光軸ＡＸとが一致するように配置されている。この場合、光学部材１００の旋光性により、入射した直線偏光の偏光方向が光軸ＡＸ廻りにθだけ回転した状態で射出される。【００５０】
このとき、光学部材１００の旋光性による偏光方向の回転角（旋光角度）θは、光学部材１００の厚さｄと水晶の旋光能ρとにより、次の式（１）で表わされる。
θ＝ｄ・ρ    （１）
一般に、水晶の旋光能ρは、波長依存性（使用光の波長に依存して旋光能の値が異なる性質：旋光分散）があり、具体的には使用光の波長が短くなると大きくなる傾向がある。「応用光学II」の第１６７頁の記述によれば、２５０．３ｎｍの波長を有する光に対する水晶の旋光能ρは、１５３．９度／ｍｍである。【００５１】
本実施形態において、第１基本素子１０Ａは、Ｚ方向に偏光方向を有する直線偏光の光が入射した場合、Ｚ方向をＹ軸廻りに＋１８０度回転させた方向すなわちＺ方向に偏光方向を有する直線偏光の光を射出するように厚さｄＡが設定されている。したがって、この場合、図４に示す輪帯状の二次光源３１のうち、一対の第１基本素子１０Ａの旋光作用を受けた光束が形成する一対の円弧状領域３１Ａを通過する光束の偏光方向はＺ方向になる。【００５２】
第２基本素子１０Ｂは、Ｚ方向に偏光方向を有する直線偏光の光が入射した場合、Ｚ方向をＹ軸廻りに＋１３５度回転させた方向すなわちＺ方向をＹ軸廻りに−４５度回転させた方向に偏光方向を有する直線偏光の光を射出するように厚さｄＢが設定されている。したがって、この場合、図４に示す輪帯状の二次光源３１のうち、一対の第２基本素子１０Ｂの旋光作用を受けた光束が形成する一対の円弧状領域３１Ｂを通過する光束の偏光方向はＺ方向をＹ軸廻りに−４５度回転させた方向になる。【００５３】
第３基本素子１０Ｃは、Ｚ方向に偏光方向を有する直線偏光の光が入射した場合、Ｚ方向をＹ軸廻りに＋９０度回転させた方向すなわちＸ方向に偏光方向を有する直線偏光の光を射出するように厚さｄＣが設定されている。したがって、この場合、図４に示す輪帯状の二次光源３１のうち、一対の第３基本素子１０Ｃの旋光作用を受けた光束が形成する一対の円弧状領域３１Ｃを通過する光束の偏光方向はＸ方向になる。【００５４】
第４基本素子１０Ｄは、Ｚ方向に偏光方向を有する直線偏光の光が入射した場合、Ｚ方向をＹ軸廻りに＋４５度回転させた方向に偏光方向を有する直線偏光の光を射出するように厚さｄＤが設定されている。したがって、この場合、図４に示す輪帯状の二次光源３１のうち、一対の第４基本素子１０Ｄの旋光作用を受けた光束が形成する一対の円弧状領域３１Ｄを通過する光束の偏光方向はＺ方向をＹ軸廻りに＋４５度回転させた方向になる。【００５５】
なお、別々に形成された８つの基本素子を組み合わせて偏光変換素子１０を得ることもできるし、あるいは平行平面板状の水晶基板に所要の凹凸形状（段差）を形成することにより偏光変換素子１０を得ることもできる。また、偏光変換素子１０を光路から退避させることなく通常の円形照明を行うことができるように、偏光変換素子１０の有効領域の径方向の大きさの１／３以上の大きさを有し且つ旋光性を有しない円形状の中央領域１０Ｅが設けられている。ここで、中央領域１０Ｅは、たとえば石英のように旋光性を有しない光学材料により形成されていてもよいし、単純に円形状の開口であってもよい。ただし、中央領域１０Ｅは偏光変換素子１０に必須の要素ではない。【００５６】
本実施形態では、周方向偏光輪帯照明（輪帯状の二次光源を通過する光束が周方向偏光状態に設定された変形照明）に際して、偏光状態切換部４のデポラライザ４ｃを照明光路から退避させ、且つ１／２波長板４ｂの結晶光学軸の光軸廻りの角度位置を調整して輪帯照明用の回折光学素子５にＺ方向偏光を入射させることによって、Ｚ方向に偏光方向を有する直線偏光の光を偏光変換素子１０に入射させる。その結果、マイクロフライアイレンズ１１の後側焦点面またはその近傍には、図４に示すように、輪帯状の二次光源（輪帯状の照明瞳分布）３１が形成され、この輪帯状の二次光源３１を通過する光束が周方向偏光状態に設定される。周方向偏光状態では、輪帯状の二次光源３１を構成する円弧状領域３１Ａ〜３１Ｄをそれぞれ通過する光束は、各円弧状領域３１Ａ〜３１Ｄの円周方向に沿った中心位置における光軸ＡＸを中心とする円の接線方向とほぼ一致する偏光方向を有する直線偏光状態になる。【００５７】
こうして、本実施形態では、ほぼ単一方向に偏光方向を有する直線偏光の光を、ほぼ周方向に偏光方向を有する周方向偏光状態の光またはほぼ径方向に偏光方向を有する径方向偏光状態の光に変換する偏光変換素子１０の旋光作用により、光量損失を実質的に発生させることなく、周方向偏光状態の輪帯状の二次光源３１を形成することができる。換言すれば、本実施形態の照明光学装置では、光量損失を良好に抑えつつ、周方向偏光状態の輪帯状の照明瞳分布を形成することができる。なお、周方向偏光状態の輪帯状の照明瞳分布に基づく周方向偏光輪帯照明では、最終的な被照射面としてのウェハＷに照射される光がＳ偏光を主成分とする偏光状態になる。【００５８】
ここで、Ｓ偏光とは、入射面に対して垂直な方向に偏光方向を有する直線偏光（入射面に垂直な方向に電気ベクトルが振動している偏光）のことである。ただし、入射面とは、光が媒質の境界面（被照射面：ウェハＷの表面）に達したときに、その点での境界面の法線と光の入射方向とを含む面として定義される。その結果、周方向偏光輪帯照明では、投影光学系の光学性能（焦点深度など）の向上を図ることができ、ウェハ（感光性基板）上において高いコントラストのマスクパターン像を得ることができる。【００５９】
一般に、輪帯照明に限定されることなく、たとえば周方向偏光状態の複数極状の照明瞳分布に基づく照明においても、ウェハＷに入射する光がＳ偏光を主成分とする偏光状態になり、ウェハＷ上において高いコントラストのマスクパターン像を得ることができる。このときには、輪帯照明用の回折光学素子５に代えて、複数極照明（２極照明、４極照明、８極照明など）用の回折光学素子を照明光路に設定し、デポラライザ４ｃを照明光路から退避させ、且つ１／２波長板４ｂの結晶光学軸の光軸廻りの角度位置を調整して複数極照明用の回折光学素子にＺ方向偏光を入射させることによって、Ｚ方向に偏光方向を有する直線偏光の光を偏光変換素子１０に入射させる。また、前述したように、マスクＭ上のラインパターンのピッチ方向に垂直に偏光方向を有する直線偏光の光でマスクＭを照明する場合にも、ウェハＷに入射する光がＳ偏光を主成分とする偏光状態になり、ウェハＷ上において高いコントラストのマスクパターン像を得ることができる。【００６０】
なお、上述のような偏光状態切換部（４：４ａ，４ｂ，４ｃ）および偏光変換素子１０については、国際出願番号ＰＣＴ／ＪＰ／２００５／０００４０７号で提案されたものを適用することができる。また、照明光学装置の瞳面またはその近傍の位置に輪帯状、円形状、多極状などの所定の光強度分布を形成するための光束形状変換素子としての回折光学素子に代えて、国際公開第ＷＯ２００５／０５０７１８号パンフレットに開示された光束変換素子および偏光変換素子を適用しても良い。この場合、既存の偏光変換素子１０を光路中から外すことが好ましいが、この偏光変換素子１０と組み合わせて適用することもできる。【００６１】
以上のように、光源１から供給される０．９以上の偏光度を有する光に基づいて被照射面としてのマスクＭを照明する本実施形態の照明光学装置（１〜１５）は、光源１とマスクＭとの間の光路中に配置されてマスクＭに達する光の偏光状態を所定の偏光状態（非偏光状態を含む）に設定するための偏光設定部として、偏光状態切換部（４：４ａ，４ｂ，４ｃ）および偏光変換素子１０を備えている。【００６２】
しかしながら、たとえば偏光状態切換部４および偏光変換素子１０の作用により所望の偏光状態または非偏光状態の光でマスクＭ（ひいてはウェハＷ）を照明しようとしても、照明光路中に光の偏光状態を変化させる光学素子が介在すると、所望の偏光状態または非偏光状態で結像しなくなり、ひいては結像性能が悪化する可能性がある。特に、照明光路中に配置された光透過部材（レンズや平行平面板など）では、外部から力が作用すると複屈折性が発生し、この複屈折性に起因して通過する光の偏光状態が変化する。【００６３】
具体的に、従来技術では、照明光路中に配置される光透過部材は、鏡筒内において円筒形状の間隔環により両側から挟まれる形態で保持されるのが一般的である。この場合、原理的には、光透過部材は光軸を中心とする円環状の領域に沿って連続支持される。しかしながら、実際には、間隔環の端面（光透過部材と当接する面）の製造誤差などの影響により、光透過部材は円環状領域に沿って連続支持されることなく、円環状領域に沿った複数の点領域（特に意図していない領域）で支持されることになる。【００６４】
すなわち、従来技術では、図５（ａ）に示すように、光透過部材５０の一方の光学面側に外部から作用する主要な力Ｆ１の位置と、光透過部材５０の他方の光学面側に外部から作用する主要な力Ｆ２の位置とが一致しない。その結果、図５（ｂ）において等高線で示すように、外部からの力Ｆ１およびＦ２に応答して光透過部材５０の有効領域５０ａのほぼ全体に亘って比較的大きな応力分布が生じ、この応力分布に応じて発生する複屈折性に起因して光透過部材５０を通過する光の偏光状態が変化する。【００６５】
これに対し、本実施形態では、図６（ａ）に示すように、光透過部材５０の一方の光学面側を３つの領域５１ａ〜５１ｃで三点支持するとともに、光透過部材５０の他方の光学面側を３つの領域５１ａ〜５１ｃにほぼ対向する３つの領域５２ａ〜５２ｃで三点支持する。この場合、光透過部材５０の一方の光学面側に外部から作用する３つの力Ｆ３の位置と、光透過部材５０の他方の光学面側に外部から作用する３つの力Ｆ４の位置とがほぼ一致する。【００６６】
したがって、図６（ｂ）において等高線で示すように、外部からの力Ｆ３およびＦ４に応答して光透過部材５０の支持領域５１ａ〜５１ｃ（５２ａ〜５２ｃ）に集中した応力分布が生じるだけで、有効領域５０ａには実質的な応力分布が生じない。その結果、本実施形態にしたがってほぼ対向する領域において三点支持された光透過部材では、応力分布による複屈折性がほとんど発生することなく、ひいては複屈折性に起因して通過する光の偏光状態がほとんど変化することがない。【００６７】
図７は、本実施形態において光透過部材を両側から三点支持する保持部材の構成を概略的に示す図である。本実施形態の保持部材は、保持すべき光透過部材６０の一方の光学面側（図７中上側）を３つの領域（図６の５１ａ〜５１ｃに対応）で三点支持するための３つの支持部７１ａ〜７１ｃを有する第１間隔環７１と、光透過部材６０の他方の光学面側（図７中下側）を３つの領域（図６の５２ａ〜５２ｃに対応）で三点支持するための３つの支持部７２ａ〜７２ｃを有する第２間隔環７２とを備えている。【００６８】
ここで、第１間隔環７１の３つの支持部７１ａ〜７１ｃはほぼ等角度間隔に設けられ、第２間隔環７２の３つの支持部７２ａ〜７２ｃもほぼ等角度間隔に設けられている。さらに、第１間隔環７１と第２間隔環７２とは、支持部７１ａと支持部７２ａとがほぼ対向するように、ひいては支持部７１ｂおよび７１ｃと支持部７２ｂおよび７２ｃとがそれぞれほぼ対向するように位置決めされている。こうして、保持部材（７１，７２）により、ほぼ対向する３つの領域において光透過部材６０が両側から三点支持される。【００６９】
以上のように、本実施形態の照明光学装置（１〜１５）では、光路中に配置された光透過部材のうちの所要の光透過部材（一般的には少なくとも１つの光透過部材）を、ほぼ対向する３つの領域で両側から三点支持している。この場合、光透過部材の支持領域に集中した応力分布が生じるだけで、光透過部材の有効領域には実質的な応力分布が生じない。その結果、応力分布による複屈折性がほとんど発生することなく、ひいては複屈折性に起因して通過する光の偏光状態がほとんど変化することがない。【００７０】
こうして、本実施形態の照明光学装置（１〜１５）では、光路中における光の偏光状態の変化を良好に抑えて、所望の偏光状態または非偏光状態の光で被照射面としてのマスクＭ（ひいてはウェハＷ）を照明することができる。したがって、本実施形態の露光装置では、所望の偏光状態または非偏光状態の光で被照射面としてのマスクＭを照明する照明光学装置（１〜１５）を用いて、マスクパターンに応じた所望の照明条件に基づいて微細パターンをウェハ（感光性基板）Ｗ上に忠実に転写することができる。【００７１】
ところで、上述の実施形態では、オプティカルインテグレータとしてのマイクロフライアイレンズ１１と被照射面としてのマスクＭとの間の光路中に配置される光透過部材が径方向に大型化し易く、外部からの力を受けたときに複屈折性に起因して通過する光の偏光状態が変化し易い。したがって、光路中における光の偏光状態の変化を良好に抑えるには、オプティカルインテグレータとしてのマイクロフライアイレンズ１１と被照射面としてのマスクＭとの間の光路中に配置される光透過部材のうち、径方向に比較的大型な光透過部材を保持部材により三点支持することが好ましい。【００７２】
また、上述の実施形態において、光路中における光の偏光状態の変化を良好に抑えるには、保持部材により三点支持された状態において、光透過部材の有効領域における平均複屈折量は２ｎｍ／ｃｍ以下であることが好ましい。また、光路中における光の偏光状態の変化をさらに良好に抑えるには、平均複屈折量は１ｎｍ／ｃｍ以下であることが好ましい。【００７３】
また、上述の実施形態では、保持部材（７１，７２）により三点支持された状態において光透過部材の径方向に応力が発生しにくいように、各支持部（７１ａ〜７１ｃ，７２ａ〜７２ｃ）の支持端（光透過部材と当接する端部）が光軸を中心とする円の径方向に可動性または可撓性を有することが好ましい。なお、支持部の支持端に対して径方向の可動性を機構的に付与する例については、特開２００２−１３１６０５号公報を参照することができる。【００７４】
同様に、光透過部材の径方向に応力が発生しにくいように、各支持部と接続される枠体を備え、各支持部を枠体に対して回転可能に構成することもできる。なお、枠体（レンズセル）に対してレンズ支持部を回転可能に構成する例についても、たとえば特開２００２−１３１６０５号公報を参照することができる。【００７５】
また、上述の実施形態において、図７に示すように、光透過部材６０と隣り合う光透過部材６１を保持部材（７２，７３）によりほぼ対向する３つの領域で両側から三点支持する場合、保持部材（７１，７２）による光透過部材６０の三点支持位置と保持部材（７２，７３）による光透過部材６１の三点支持位置とを光軸廻りに位置ずれさせることが好ましい。この構成により、複数の光透過部材の三点支持の影響を光軸廻りの角度方向に分散させることができ、ひいては光路中における光の偏光状態の変化を良好に抑えることができる。この点は、隣り合う光透過部材の間に限定されることなく、一般に複数の光透過部材について同様である。【００７６】
なお、上述の実施形態では、光透過部材を保持部材によりほぼ対向する３つの領域で両側から三点支持している。しかしながら、これに限定されることなく、たとえば特開平１１−２２８１９２号公報に開示されたロー付けの手法を用いて、光透過部材の一方の光学面側だけを３つの領域で三点支持する変形例も可能である。【００７７】
ところで、上述の実施形態では、Ｘ方向に偏光方向を有する直線偏光の光を偏光変換素子１０に入射させることにより、図８に示すように輪帯状の二次光源３２を通過する光束を径方向偏光状態に設定し、径方向偏光輪帯照明（輪帯状の二次光源を通過する光束が径方向偏光状態に設定された変形照明）を行うことができる。径方向偏光状態では、輪帯状の二次光源３２を構成する円弧状領域３２Ａ〜３２Ｄをそれぞれ通過する光束は、各円弧状領域３２Ａ〜３２Ｄの円周方向に沿った中心位置における光軸ＡＸを中心とする円の半径方法とほぼ一致する偏光方向を有する直線偏光状態になる。【００７８】
径方向偏光状態の輪帯状の照明瞳分布に基づく径方向偏光輪帯照明では、最終的な被照射面としてのウェハＷに照射される光がＰ偏光を主成分とする偏光状態になる。ここで、Ｐ偏光とは、上述のように定義される入射面に対して平行な方向に偏光方向を有する直線偏光（入射面に平行な方向に電気ベクトルが振動している偏光）のことである。その結果、径方向偏光輪帯照明では、ウェハＷに塗布されたレジストにおける光の反射率を小さく抑えて、ウェハ（感光性基板）上において良好なマスクパターン像を得ることができる。【００７９】
なお、上述の実施形態では、偏光変換素子１０に入射する光束を、Ｚ方向に偏光方向を有する直線偏光状態とＸ方向に偏光方向を有する直線偏光状態との間で切り換えることにより、周方向偏光輪帯照明と径方向偏光輪帯照明とを実現している。しかしながら、これに限定されることなく、たとえばＺ方向またはＸ方向に偏光方向を有する直線偏光状態の入射光束に対して、偏光変換素子１０を図２に示す第１状態と光軸ＡＸ廻りに９０度だけ回転させた第２状態との間で切り換えることにより、周方向偏光輪帯照明と径方向偏光輪帯照明とを実現することもできる。【００８０】
また、上述の実施形態では、マイクロフライアイレンズ１１の直前に偏光変換素子１０を配置している。しかしながら、これに限定されることなく、たとえば投影光学系ＰＬの瞳またはその近傍や、結像光学系１５の瞳またはその近傍や、円錐アキシコン系８の直前（アフォーカルレンズ６の瞳またはその近傍）などに偏光変換素子１０を配置することもできる。【００８１】
ただし、投影光学系ＰＬ中や結像光学系１５中に偏光変換素子１０を配置すると、偏光変換素子１０の所要有効径が大きくなり易いため、高品質で大きい水晶基板を得ることが困難である現状を考えるとあまり好ましくない。また、円錐アキシコン系８の直前に偏光変換素子１０を配置すると、偏光変換素子１０の所要有効径を小さく抑えることができるが、最終的な被照射面であるウェハＷまでの距離が長く、その間の光路中にレンズの反射防止コートやミラーの反射膜のように偏光状態を変化させる要素が介在し易いのであまり好ましくない。ちなみに、レンズの反射防止コートやミラーの反射膜では、偏光状態（Ｐ偏光とＳ偏光）や入射角度によって反射率に差が生じ易く、ひいては光の偏光状態が変化し易い。【００８２】
また、上述の実施形態では、偏光変換素子１０の少なくとも一方の面（たとえば射出面）が凹凸状に形成され、ひいては偏光変換素子１０が周方向に離散的（不連続的）に変化する厚さ分布を有する。しかしながら、これに限定されることなく、偏光変換素子１０が周方向にほぼ不連続的に変化する厚さ分布を有するように、偏光変換素子１０の少なくとも一方の面（たとえば射出面）を曲面状に形成することもできる。【００８３】
また、上述の実施形態では、輪帯状の有効領域の８分割に対応する８つの扇形形状の基本素子により偏光変換素子１０を構成している。しかしながら、これに限定されることなく、たとえば円形状の有効領域の８分割に対応する８つの扇形形状の基本素子により、あるいは円形状または輪帯状の有効領域の４分割に対応する４つの扇形形状の基本素子により、あるいは円形状または輪帯状の有効領域の１６分割に対応する１６つの扇形形状の基本素子により偏光変換素子１０を構成することもできる。すなわち、偏光変換素子１０の有効領域の形状、有効領域の分割数（基本素子の数）などについて様々な変形例が可能である。【００８４】
また、上述の実施形態では、水晶を用いて各基本素子１０Ａ〜１０Ｄを（ひいては偏光変換素子１０を）形成している。しかしながら、これに限定されることなく、旋光性を有する他の適当な光学材料を用いて各基本素子を形成することもできる。この場合、使用波長の光に対して１００度／ｍｍ以上の旋光能を有する光学材料を用いることが好ましい。すなわち、旋光能の小さい光学材料を用いると、偏光方向の所要回転角を得るために必要な厚さが大きくなり過ぎて、光量損失の原因になるので好ましくない。【００８５】
また、上述の実施形態において、偏光変換素子１０を照明光路に対して固定的に設けたが、この偏光変換素子１０を照明光路に対して挿脱可能に設けても良い。また、上述の実施形態では、ウェハＷに対するＳ偏光と輪帯照明とを組み合わせた例を示したが、ウェハＷに対するＳ偏光と２極や４極などの多極照明および円形照明と組み合わせても良い。なお、上述の実施形態において、マスクＭへの照明条件やウェハＷへの結像条件（開口数や収差等）は、例えばマスクＭのパターンの種類等に従って自動的に設定することができる。【００８６】
また、上述の実施形態において、偏光変換素子１０よりもウェハＷ側の光学系（照明光学系や投影光学系）が偏光収差（リターデーション）を有している場合には、この偏光収差に起因して偏光方向が変化することがある。この場合には、これらの光学系の偏光収差の影響を考慮した上で、偏光変換素子１０により旋回される偏光面の方向を設定すれば良い。また、偏光変換素子１０よりもウェハＷ側の光路中に反射部材が配置されている場合、この反射部材にて反射された偏光方向毎に位相差が生じることがある。このとき、反射面の偏光特性に起因する光束の位相差を考慮した上で、偏光変換素子１０により旋回される偏光面の方向を設定すれば良い。また、偏光変換素子１０の入射面において所望の偏光状態となるように、各波長板４ａ，４ｂを用いて調整を行ってもよい。【００８７】
なお、上述の実施形態において、オプティカルインテグレータとして波面分割型のマイクロフライアイレンズ１１を用いたが、その代わりに、たとえば特開２００５−１１６８３１号公報に開示されるような内面反射型のロッド型インテグレータを適用してもよい。この場合、偏光設定部としての偏光制御部材４と被照射面との間の光路中の光学部材のうちの少なくとも１つの光透過部材（５，６，１１，１３Ｒ，１６，１８）の一方の光学面側を３つの領域で三点支持することが好ましい。【００８８】
また、このようなロッド型インテグレータを適用した際に、たとえは国際公開第ＷＯ２００５／０２４５１６号パンフレットに開示されるように、ロッド型インテグレータの射出面に形成されるほぼ均一な照明領域を被照射面へ導くための照明結像光学系の瞳位置近傍に偏光選択部材を配置する場合がある。このような場合には、偏光設定部としての偏光選択部材１０と被照射面との間の光路中の光学部材のうちの少なくとも１つの光透過部材の一方の光学面側を３つの領域で三点支持することが好ましい。【００８９】
また、たとえば国際公開第ＷＯ２００５／０５０３２５号パンフレットに開示されるように、ロッド型インテグレータの射出面に形成されるほぼ均一な照明領域を被照射面へ導くための照明結像光学系の瞳位置近傍に非偏光を直線偏光に変換する偏光変換部材が配置される場合には、偏光設定部としての偏光変換部材２２と被照射面との間の光路中の光学部材のうちの少なくとも１つの光透過部材の一方の光学面側を３つの領域で三点支持することが好ましい。【００９０】
上述の実施形態にかかる露光装置では、照明光学装置によってマスク（レチクル）を照明し（照明工程）、投影光学系を用いてマスクに形成された転写用のパターンを感光性基板に露光する（露光工程）ことにより、マイクロデバイス（半導体素子、撮像素子、液晶表示素子、薄膜磁気ヘッド等）を製造することができる。以下、上述の実施形態の露光装置を用いて感光性基板としてのウェハ等に所定の回路パターンを形成することによって、マイクロデバイスとしての半導体デバイスを得る際の手法の一例につき図９のフローチャートを参照して説明する。【００９１】
先ず、図９のステップ３０１において、１ロットのウェハ上に金属膜が蒸着される。次のステップ３０２において、その１ロットのウェハ上の金属膜上にフォトレジストが塗布される。その後、ステップ３０３において、上述の実施形態の露光装置を用いて、マスク上のパターンの像がその投影光学系を介して、その１ロットのウェハ上の各ショット領域に順次露光転写される。その後、ステップ３０４において、その１ロットのウェハ上のフォトレジストの現像が行われた後、ステップ３０５において、その１ロットのウェハ上でレジストパターンをマスクとしてエッチングを行うことによって、マスク上のパターンに対応する回路パターンが、各ウェハ上の各ショット領域に形成される。その後、更に上のレイヤの回路パターンの形成等を行うことによって、半導体素子等のデバイスが製造される。上述の半導体デバイス製造方法によれば、極めて微細な回路パターンを有する半導体デバイスをスループット良く得ることができる。【００９２】
また、上述の実施形態の露光装置では、プレート（ガラス基板）上に所定のパターン（回路パターン、電極パターン等）を形成することによって、マイクロデバイスとしての液晶表示素子を得ることもできる。以下、図１０のフローチャートを参照して、このときの手法の一例につき説明する。図１０において、パターン形成工程４０１では、上述の実施形態の露光装置を用いてマスクのパターンを感光性基板（レジストが塗布されたガラス基板等）に転写露光する、所謂光リソグラフィー工程が実行される。この光リソグラフィー工程によって、感光性基板上には多数の電極等を含む所定パターンが形成される。その後、露光された基板は、現像工程、エッチング工程、レジスト剥離工程等の各工程を経ることによって、基板上に所定のパターンが形成され、次のカラーフィルター形成工程４０２へ移行する。【００９３】
次に、カラーフィルター形成工程４０２では、Ｒ（Red）、Ｇ（Green）、Ｂ（Blue）に対応した３つのドットの組がマトリックス状に多数配列されたり、またはＲ、Ｇ、Ｂの３本のストライプのフィルターの組を複数水平走査線方向に配列したカラーフィルターを形成する。そして、カラーフィルター形成工程４０２の後に、セル組み立て工程４０３が実行される。セル組み立て工程４０３では、パターン形成工程４０１にて得られた所定パターンを有する基板、およびカラーフィルター形成工程４０２にて得られたカラーフィルター等を用いて液晶パネル（液晶セル）を組み立てる。【００９４】
セル組み立て工程４０３では、例えば、パターン形成工程４０１にて得られた所定パターンを有する基板とカラーフィルター形成工程４０２にて得られたカラーフィルターとの間に液晶を注入して、液晶パネル（液晶セル）を製造する。その後、モジュール組み立て工程４０４にて、組み立てられた液晶パネル（液晶セル）の表示動作を行わせる電気回路、バックライト等の各部品を取り付けて液晶表示素子として完成させる。上述の液晶表示素子の製造方法によれば、極めて微細な回路パターンを有する液晶表示素子をスループット良く得ることができる。【００９５】
なお、上述の実施形態では、露光光としてＫｒＦエキシマレーザ光（波長：２４８ｎｍ）やＡｒＦエキシマレーザ光（波長：１９３ｎｍ）を用いているが、これに限定されることなく、他の適当なレーザ光源、たとえば波長１５７ｎｍのレーザ光を供給するＦ2レーザ光源などに対して本発明を適用することもできる。さらに、上述の実施形態では、照明光学装置を備えた露光装置を例にとって本発明を説明したが、以外の被照射面を照明するための一般的な照明光学装置に本発明を適用することができることは明らかである。【００９６】
また、上述の実施形態において、投影光学系と感光性基板との間の光路中を１．１よりも大きな屈折率を有する媒体（典型的には液体）で満たす手法、所謂液浸法を適用しても良い。この場合、投影光学系と感光性基板との間の光路中に液体を満たす手法としては、国際公開番号ＷＯ９９／４９５０４号公報に開示されているような局所的に液体を満たす手法や、特開平６−１２４８７３号公報に開示されているような露光対象の基板を保持したステージを液槽の中で移動させる手法や、特開平１０−３０３１１４号公報に開示されているようなステージ上に所定深さの液体槽を形成し、その中に基板を保持する手法などを採用することができる。【００９７】
なお、液体としては、露光光に対する透過性があってできるだけ屈折率が高く、投影光学系や基板表面に塗布されているフォトレジストに対して安定なものを用いることが好ましく、たとえばＫｒＦエキシマレーザ光やＡｒＦエキシマレーザ光を露光光とする場合には、液体として純水、脱イオン水を用いることができる。また、露光光としてＦ2レーザ光を用いる場合は、液体としてはＦ2レーザ光を透過可能な例えばフッ素系オイルや過フッ化ポリエーテル（ＰＦＰＥ）等のフッ素系の液体を用いればよい。
【符号の説明】
【００９８】
１  光源
４  偏光状態切換部
４ａ  １／４波長板
４ｂ  １／２波長板
４ｃ  デポラライザ
５  回折光学素子（光束変換素子）
６  アフォーカルレンズ
８  円錐アキシコン系
９  ズームレンズ
１０  偏光変換素子
１０Ａ〜１０Ｄ  各基本素子
１１  マイクロフライアイレンズ
１２  偏光モニター
１２ａ  ビームスプリッター
１３  コンデンサー光学系
１４  マスクブラインド
１５  結像光学系
６０，６１  光透過部材
７１，７２，７３  間隔環（保持部材）
７１ａ〜７１ｃ，７２ａ〜７２ｃ  支持部
Ｍ  マスク
ＰＬ  投影光学系
Ｗ  ウェハ
【図１】
2006016469.tif 000002
【図２】
2006016469.tif 000003
【図３】
2006016469.tif 000004
【図４】
2006016469.tif 000005
【図５】
2006016469.tif 000006
【図６】
2006016469.tif 000007
【図７】
2006016469.tif 000008
【図８】
2006016469.tif 000009
【図９】
2006016469.tif 000010
【図１０】
2006016469.tif 000011
【国際調査報告】
2006016469.tif 000012
2006016469.tif 000013
2006016469.tif 000014
2006016469.tif 000015